(57)【特許請求の範囲】
【請求項１】
箱体の上面開口を覆う蓋を該箱体の背面板にヒンジ結合してなる紙容器であって、該蓋の正面板に基端部を介してつまみ片を突出させ、該つまみ片の基端部周辺に上向きに凸状の切り込み線による係合片を設けるとともに、該箱体の正面板に係合挿入部を形成し、該係合挿入部の上縁部の端部より内側に上方向に延びる少なくとも２つの切れ込みにより形成される切れ込み片を設け、該係合挿入部の背面は裏打ち板で覆われ、閉蓋状態で該係合片は該係合挿入部に挿入されて該切れ込み片と該裏打ち板との隙間に挟持されてロック状態を可能とし、該係合片が該ロック状態から該切れ込み片に更にくい込む係合状態を可能とした紙容器。
【請求項２】
前記切れ込み片が、その基端部の両端部周辺に切り込み線による円弧状端部を有する請求項１に記載の紙容器。
【請求項３】
前記ロック状態で、前記切れ込み片の下端辺が前記係合片の基端部より上方に位置するように構成されている請求項１又は２に記載の紙容器。
【請求項４】
前記切れ込み片が、前記切れ込み片の上部の基端部に向かって拡幅している請求項１〜３のいずれかに記載の紙容器。
【請求項５】
前記裏打ち板が、板紙又は樹脂フィルムで構成されている請求項１〜４のいずれかに記載の紙容器。
【請求項６】
前記裏打ち板が、前記箱体の正面板を上端辺で内側に折り返し接着された内折り板で構成されている請求項１〜４のいずれかに記載の紙容器。
【発明の詳細な説明】
【技術分野】
【０００１】
本発明は紙容器に関し、詳しくは、粉末洗剤等の粉体を収納するための紙容器であって、蓋と箱体のロック操作が容易で、かつロック機構が確実強固な紙容器に関する。
【背景技術】
【０００２】
家庭用粉末洗剤等の紙容器として、箱体の上面開口を覆う蓋をその箱体の背面板にヒンジ結合し、開閉自在に形成してなる紙容器が汎用されている。
このような紙容器では、蓋が簡単に開いて内容物がこぼれ落ちたり、水分等が混入することがないように、蓋が箱体の開口を定位置で閉じた状態を維持するためのロック機構が設けられているのが一般的である。
ロック機構としては、蓋のつまみ片に係合片を切り込んで形成し、蓋を回動自在とし、その係合片と相対する箱体正面板に係合穴を形成し、蓋の係合片を箱体の係合穴にコハゼ掛けに挿入してロックするいわゆるコハゼロック機構が知られている。
【０００３】
このコハゼロック機構については、例えば、特許文献１〜３が提案されている。しかしながら、それらのコハゼロック機構においては、箱体の正面板に形成された係合穴の上縁部の裏側に、蓋の係合片を差し込むように挿入する必要があるが、係合穴が箱体の正面板とほぼ同一平面上にあるため挿入しづらいという問題があった。また、特許文献１及び２のように、係合穴の背面に正面板の折り返しフラップが貼着されている場合には、係合穴の背面が塞がれているため、係合片を係合穴の上縁と背面板との隙間に挿入しにくいという問題があった。
さらに、特許文献１〜３のコハゼロック機構は、蓋を持って繰り返し持ち上げたりすると、ロック機構が甘くなったり、係合片やつまみ片がへたってきて取扱い時に破損するおそれがあった。
【０００４】
【特許文献１】特開平９−１５０８２６号公報
【特許文献２】特開２００５−２０００５９号公報
【特許文献３】特開２００４−３２３０６９号公報
【発明の開示】
【発明が解決しようとする課題】
【０００５】
本発明は、蓋と箱体のロック操作が容易で、かつロック機構が確実強固な紙容器を提供することを課題とする。
【課題を解決するための手段】
【０００６】
本発明は、箱体の上面開口を覆う蓋を該箱体の背面板にヒンジ結合してなる紙容器であって、該蓋の正面板に基端部を介してつまみ片を突出させ、該つまみ片の基端部周辺に上向きに凸状の切り込み線による係合片を設けるとともに、該箱体の正面板に係合挿入部を形成し、該係合挿入部の上縁部の端部より内側に上方向に延びる少なくとも２つの切れ込みにより形成される切れ込み片を設け、該係合挿入部の背面は裏打ち板で覆われ、閉蓋状態で該係合片は該係合挿入部に挿入されて該切れ込み片と該裏打ち板との隙間に挟持されてロック状態を可能とし、該係合片が該ロック状態から該切れ込み片に更にくい込む係合状態を可能とした紙容器を提供する。
【発明の効果】
【０００７】
本発明の紙容器は、蓋の係合片を箱体の係合穴に挿入してロックする際のロック操作が容易で、しかもダブルロック状態としうるので、蓋と箱体のロック機構が確実強固である。
【発明を実施するための最良の形態】
【０００８】
本発明の紙容器は、該箱体の正面板に係合挿入部を形成し、該係合挿入部の上縁部の端部より内側に上方向に延びる少なくとも２つの切れ込みにより形成される切れ込み片を設け、該係合挿入部の背面は裏打ち板で覆われ、閉蓋状態で該係合片は該係合挿入部に挿入されて該切れ込み片と該裏打ち板との隙間に挟持されてロック状態を可能とし、該係合片が該ロック状態から該切れ込み片に更にくい込む係合状態を可能としたものである。
【０００９】
本発明の紙容器の実施の形態について、図面を参照して説明する。図１〜図１０は、本発明の紙容器の実施の形態の例を示す図である。
本発明の紙容器１０は、図１〜３に示すように、箱体１１と蓋１２とからなり、箱体１１は上面に開口１１Ｅを有している。その開口１１Ｅは、封緘紙１３が正面板１１Ａ、背面板１１Ｂ、両側板１１Ｃからなる全開口縁部の外側面及び／又は全開口縁部の天面部分、又は蓋１２の天板１２Ｄの箱体との結合部における内面部分を含む所定巾の範囲に貼着され、蓋１２の天板１２Ｄの内面と封緘紙１３とによって密封され、流通・保管段階において内容物である粉体洗剤等の漏れ防止を可能とする。
なお、紙容器には通常５００ｇ〜２．５ｋｇ、好ましくは１〜２ｋｇ程度の粉体洗剤等を収納する。
【００１０】
箱体１１の素材としては、対環境性、廃棄時の焼却性の観点から、紙単体、又は紙を主材料としプラスチックフィルムを内層又は中間層とする３層構造等の積層体を用いることができる。使用する紙に特に制限はないが、取扱いの便宜上、坪量３５０〜７００ｇ／ｍ2、厚さ０．３〜１．１ｍｍであることが好ましい。
箱体１１は、前記素材を折り曲げて組立てたものであり、正面板１１Ａ、背面板１１Ｂ、両側板１１Ｃ、底板１１Ｄを有し、上面に開口１１Ｅを有する。図１の形態の場合、箱体１１は、正面板１１Ａ、背面板１１Ｂ、両側板１１Ｃを上端辺で内側に折り返し接着してある。この場合、内側に折り返し接着された内折り板で、箱体１１の係合挿入部３１を背面から覆い、内容物の漏れを防止することができる。
【００１１】
蓋１２の素材は、箱体１１と同様に、紙単体、又は紙を主材料としプラスチックフィルムを内層又は中間層とする積層体であることが好ましい。
蓋１２は、前記素材を折り曲げて組立てたものであり、前板１２Ａ、後板１２Ｂ、両側板１２Ｃ、天板１２Ｄを有する。蓋１２は、箱体１１の背面板１１Ｂに接着されるヒンジ結合部１２Ｅを後板１２Ｂに備え、箱体１１の開口１１Ｅを覆う。
図３に示すように、蓋１２は、箱体１１の背面板１１Ｂを延長し、背面板１１Ｂの上端辺にヒンジ罫線を設け、内側に折り返してヒンジ結合した形態とすることもできる。この形態の場合、通常、箱体１１の正面板１１Ａ及び両側板１１Ｃは、それらの上端辺で内側に折り返して接着される。
箱体１１及び蓋１２には、吊り手、把手（取っ手）等の把持部（図示せず）を設けることもできる。取扱いの便宜上、前記把持部は、箱体の両側板１１Ｃ、蓋の両側板１２Ｃ、蓋の天板１２Ｄの表面等に付設することができる。
【００１２】
蓋１２の前板１２Ａには基端部（略中央部下縁）を介してつまみ片２２を突出させて形成する。未使用状態においては、蓋１２は、つまみ片２２の裏面においてタックシール、又は接着剤等によって箱体１１の糊付け部２３に貼着固定されており、初回使用時に糊付け部２３を剥がすことにより、蓋１２と箱体１１をつなぐヒンジ結合部１２Ｅを回動支点として開閉できるようになっている。
【００１３】
図４は、紙容器１０の閉蓋状態における正面図の一例を示す図であり、図５は、箱体１１の正面図の一例を示す図である。図４の閉蓋状態において、蓋１２の前板１２Ａには、係合片１９が形設されたつまみ片２２が表れており、箱体１１の正面板１１Ａに形成された係合挿入部３１を覆い隠している。
図５において、係合挿入部３１は、閉蓋時に、蓋１２のつまみ片２２に形設された係合片１９と相対する位置に形成されている。係合挿入部３１の上縁部３１Ａには、係合片１９と係合可能な切れ込み片３２が形成されている。
【００１４】
係合挿入部３１は、蓋１２の係合片１９が挿入可能な大きさであればよく、その形態は特に限定されない。図６は、図５のＡ部の例を示す拡大模式図である。図６において、係合挿入部３１は、略四角形状（ａ）であってもよく、スリット状（ｂ）であってもよい。また、係合挿入部３１の上縁部３１Ａは、水平線状に限らず、図６（ｃ）、（ｄ）に示すような下に凸の円孤状や帯状であってもよく、図６（ｅ）、（ｆ）に示すような上に凸のかまぼこ状や半円状であってもよい。
係合挿入部３１の上縁部３１Ａ、すなわち、切れ込み片３２の下端辺３２Ａを水平線状に形成する場合は、図９に示すように、切れ込み片３２の下端辺３２Ａが、閉蓋時の蓋１２の前板１２Ａの下端辺、すなわち、つまみ片２２の基端部２２Ａ（係合片１９の基端部１９Ａ）の水平線より若干、例えば１ｍｍ程度上方になるように構成することが好ましい。
【００１５】
係合挿入部３１の背面は、箱体１１の正面板１１Ａを上端辺で内側に折り返し接着された内折り板で裏打ちして覆うか、又は、別途に用意した紙片、合成樹脂との積層紙等の板紙、合成樹脂フィルム等を貼着して塞がれ、内容物が箱体１１の内部から係合挿入部３１を通って漏れることがないようにされている。係合挿入部３１の背面と内折り板又はフィルム等とを接合するに際しては、蓋の係合片１９が差し込まれる領域（係合挿入部３１の穴あき面の上部）を避けて、係合挿入部３１の少なくとも下部と左右両側部に、一定巾で接着剤塗布部又は貼着部を設け、内容物（粉体又は粒状物）が箱体１１の内部から係合挿入部３１を通って漏れることを防止できる。
【００１６】
係合挿入部３１の背面には蓋の係合片１９を差し込むことのできる隙間を設けることができるが、係合挿入部３１が箱体１１の正面板１１Ａとほぼ同一平面上にあり、塞がれた形態になっているため、その隙間に係合片１９を差し込むように挿入する必要がある。
そこで、本発明においては、係合挿入部３１の上縁部３１Ａに、係合片１９と係合可能な切れ込み片３２を形成する。切れ込み片３２は、係合挿入部３１の上縁部３１Ａの端部近傍から上方向に形成された、少なくとも２つの切れ込み３３により形成される。
【００１７】
切れ込み片３２の形状は特に限定されない。例えば次の（１）〜（３）のように、切れ込み片３２がその上部の基端部に向かって拡幅している形状が好ましい。
（１）図６に示すように、係合挿入部３１の上縁部３１Ａの両端部近傍から、逆ハの字状に２本の切れ込み線３３を切り込んで形成した逆台形状の切れ込み片。
（２）図７（ａ）に示すように、係合挿入部３１の上縁部３１Ａの両端部近傍から、逆ハの字状に２つの楔形状の切れ込み３５を切り込んで形成した逆台形状の切れ込み片。
（３）図７（ｂ）に示すように、係合挿入部３１の上縁部３１Ａの両端部近傍から、直線と円弧状の切れ込み線により形成された切れ込み３６を切り込んで形成した逆かまぼこ断面状の切れ込み片。
【００１８】
切れ込み片３２の基端部には折り罫線３４を設けることが好ましい。折り罫線３４は、切れ込み片３２の基端部とその下端辺３２Ａとの間に設けることもできる。また、折り罫線３４は、下端辺３２Ａ又は正面板１１Ａの上端辺と概ね平行に、切れ込み線３３の間をつないで設けることが好ましい。この折り罫線３４は、切れ込み片３２を上面に向かって開くことができるようにする回動支点となる。
切れ込み片３２は、その基端部３４の両端部周辺に切り込み線による円弧状端部３７を形成することが好ましい。円孤状端部３７の形状に特に制限はない。例えば、切れ込み片３２の基端部３４の両端部に、その端部を内側下方に向けて円孤を描くように形成することもできる。しかしなから、破損防止と係合強度の観点から、円孤状端部３７は、図６及び７に示すように、その端部を外側下方に向けて円孤を描くように形成することが好ましい。
【００１９】
図８は、蓋１２の係合片１９周辺の拡大模式図である。蓋１２の係合片１９は、つまみ片２２の基端部２２Ａの周辺に上向きに凸状の切り込み線により形設されている。係合片１９の端部には、円弧状の切り込みを設けることが好ましい。図８においては、つまみ片２２の基端部周辺を端部として上向きに凸状の切り込み線を設け、該凸状の切り込み線の端部を下方から上方に向って曲線状に延在させて、円弧状端部２０（Ｕ字状の切り込み）を有する係合片１９を形設している。係合片１９の両端の円弧状端部２０からつまみ片２２の各々の両端部に渡って、略水平に２つの折り罫線２１を刻設することが好ましい。係合片１９の両端の円弧状端部２０は、折り罫線２１を支点としてつまみ片２２を回動する時の回動補助支点となり、回動の円滑性を確保する。
【００２０】
係合片１９の円弧状端部２０からつまみ片２２の端部に渡っては、略水平に折り罫線２１を刻設することが好ましい。２つの折り罫線２１は、円弧状端部２０から略水平に刻設するが、回動操作の円滑性の観点から、円弧状端部２０の最下端部からではなく、最下端部より若干上方の位置から略水平に刻設することが好ましい。例えば、円弧状端部２０の最下端部を、つまみ片２２の両端部に略水平に形成される折り罫線２１より０．５〜３ｍｍ、特に１〜２ｍｍ低い位置に設定するように円弧状端部２０を形成し、円弧状端部２０の側部近傍に折り罫線２１を連接することが好ましい。
なお、蓋１２の前板１２Ａの下側端縁は水平に形成してもよいが、複数の紙容器１０を大箱に詰めて収納する場合等の作業性の観点から、中央部から両端部にかけてやや上向きに傾斜させることができる。
【００２１】
蓋１２の開閉機構は次のとおりである。図４及び５において、つまみ片２２を指でつまみ、上方に向けて持ち上げていくと、つまみ片２２は折り罫線２１を回動中心として上方へ向かって回動する。つまみ片２２が上方へ回動すると、つまみ片２２と一体に形成されている係合片１９は折り罫線２１を回動中心として下方に向かって回動し、その先端部が箱体１１の係合挿入部３１の係合端３１Ａに係合する。この状態で、つまみ片２２を元に戻すように下側に押すと、係合片１９は逆に上方へ向かって動き、係合片１９の先端が係合挿入部３１とその背面との隙間に差し込まれる。
【００２２】
この際に、係合挿入部３１の上縁部３１Ａに形成された切れ込み片３２は、折り罫線３４を回動支点として上方へ向かって回動し、箱体１１の正面板の表面よりも浮かせることができる。そのため、つまみ片２２に形成された係合片１９を、係合挿入部３１とその背面との隙間に容易に差し込むことができ、係合片１９は係合挿入部３１の係合端３１Ａに係合し、蓋１２が箱体１１にロックされる。図９は、この通常のロック状態を示す図である。
この通常ロック状態（閉蓋状態）においては、切れ込み片３２の下端辺３２Ａ（係合挿入部３１の上縁部３１Ａ）は、係合片１９の基端部１９Ａ（つまみ片２２の基端部２２Ａ）より上方になるように配置されている。
ロックされている蓋１２を開くときは、つまみ片２２を指で持ち、ほぼ水平位置まで上方に向かって持ち上げていくと、係合片１９はそのまま自然に係合挿入部３１から抜け出ていき、蓋１２のロックが解除される。
【００２３】
通常の閉蓋状態では、前記のように、係合片１９が係合挿入部３１に係合して切れ込み片３２とその背面との間に挟まれ保持された通常ロックの状態となっている（図９）。このとき、係合片１９の円孤状端部２０の最下部は、正面から見て係合片１９と係合挿入部３１の周縁との交点より若干下方に位置することが好ましい。
ここで、蓋１２を上方から掴んで紙容器１０を持ち上げる等すると、内容物の入った箱体１１の荷重により、箱体１１が蓋１２の前板１２Ａの内面をスライドして、蓋１２に対して若干下方に移動する。その結果、蓋１２の係合片１９の円弧状端部２０の最下部は係合挿入部３１の上縁部３１Ａより上方に移動し、蓋１２の係合片１９は箱体１１の切れ込み片３２にくい込むように更に係合する。そのため、切れ込み片３２と蓋１２のつまみ片２２との重複部分が増加して、通常ロック状態から更に進んだダブルロック（切り込みロック）状態となり、ロック状態が更に強化される
【００２４】
図１０は、蓋１２と箱体１１のダブルロック状態を示す図である。図１０において、切れ込み片３２は係合片１９を覆い隠している。この状態においては、切れ込み片３２と係合片１９とが強固に係合した状態になっており、切れ込み片３２の下端辺３２Ａ（係合挿入部３１の上縁部３１Ａ）が係合片１９の基端部１９Ａ（つまみ片２２の基端部２２Ａ）より下方に突出するように係合されている。このダブルロック状態における、切れ込み片３２と蓋１２のつまみ片２２の重複面積は、蓋１２に対する下方向への荷重が大きくなるほど増加し、更に強く係合又は嵌合し、ロックがより確実強固な状態となる。このため、係合片１９が切れ込み片３２及び係合挿入部３１から外れることはなく、また、繰り返し使用によってもロック機構が甘くなったり、へたったりして破損することがない。
また、切れ込み片３２の基端部（折り罫線３４）の長さは、係合片１９の円弧状端部２０の最下部の間の距離と略同一が好ましい。これによりダブルロック状態での係合片１９と切れ込み片３２の左右のがたつきが防止され、ロック機構のへたり防止に有効となる。
【００２５】
図１１は、蓋体１２と箱体１１の通常ロック状態の一例を示す縦断面図である。
係合挿入部３１は、箱体１１の正面板１１Ａを上端辺で内側に折り返し接着された内折り板３２ａ、３２ｃ及びエンボス加工により凸状に脹らませた３２ｂで裏打ちされている。これにより、係合挿入部３１の背面には係合片１９を差し込むことのできる隙間３３が設けられている。この隙間につまみ片２２に設けられた係合片１９が差し込まれて、切れ込み片３２の下端（係合挿入部３１の上縁部３１Ａ）に係合する。
通常の使用状態では、このように、係合片１９が切れ込み片３２の下端（係合挿入部３１の上縁部３１Ａ）にひっかかる状態となるが、内容物が充填された紙容器１０が万一落下した場合等には、内容物が紙容器１０内の上方へ移動するため、蓋１２を箱体１１に対して上方に移動する力が働き、蓋１２の係合片１９が、箱体１１の切れ込み片３２と係合挿入部３１の背面の隙間３３の上部に更にくい込み、ダブルロック状態となる。この結果、切れ込み片３２と蓋１２のつまみ片２２の重複面積が増加して強く係合し、確実強固なロック状態を実現し、落下による係合片１９の係合解除に起因する内容物の飛散を防止できる。
【００２６】
本発明の紙容器１０は上記のように構成されているので、以下の作用効果がある。
（１）係合挿入部３１の上縁部３１Ａに、係合片１９と係合可能な切れ込み片３２を形成したので、切れ込み片３２が箱体１１の正面板より上面に開くことができるため、係合片１９を係合挿入部３１に容易に差し込むことができる。
（２）通常の使用状態では、係合片１９を係合挿入部３１に挿入して、係合片１９が切れ込み片３２の下端（係合挿入部３１の上縁部３１Ａ）にひっかかる状態とし、上方から蓋１２を掴んで持ち上げる等して紙容器１０を上方へ移動させる力を蓋１２に多くかけた場合に、蓋１２の係合片１９が箱体１１の切れ込み片３２にくい込み、ダブルロック状態となる。この結果、切れ込み片３２と蓋１２のつまみ片２２の重複面積が増加して更に係合が強化され、確実強固なロック状態を実現できる。
内容物が充填された紙容器１０を誤って落下した場合でも、上記と同様にダブルロック状態となり、係合解除に起因する内容物の飛散を防止できる。
（３）ダブルロック状態になると、係合片１９が切れ込み片３２及び係合挿入部３１と更に強固にロックし、ロックが甘くなったり、へたったりして破損することがない。
【図面の簡単な説明】
【００２７】
【図１】紙容器の開蓋状態を示す斜視図である。
【図２】紙容器の閉蓋状態を示す背面図である。
【図３】別形態の紙容器の開蓋状態を示す斜視図である。
【図４】紙容器の閉蓋状態の正面図の一例を示す図である。
【図５】箱体の正面図の一例を示す図である。
【図６】図５のＡ部の例を示す拡大模式図である。
【図７】図５のＡ部の別形態を示す拡大模式図である。
【図８】蓋の係合片周辺の拡大模式図である。
【図９】蓋と箱体の通常のロック状態を示す図である。
【図１０】蓋と箱体のダブルロック状態を示す図である。
【図１１】蓋体と箱体の通常ロック状態の一例を示す縦断面図である。
【符号の説明】
【００２８】
１０：紙容器
１１：箱体
１２：蓋    １２Ａ：蓋の前板
１９：係合片    １９Ａ：係合片の基端部
２０：係合片の円弧状端部
２１：係合片の折り罫線
２２：つまみ片    ２２Ａ：つまみ片の基端部
３１：係合挿入部    ３１Ａ：係合挿入部の上縁部
３２：切れ込み片    ３２Ａ：切れ込み片の下端辺
３４：切れ込み片の折り罫線
３７：切れ込み片の円弧状端部
【図１】
0004734209.tif 000002
【図２】
0004734209.tif 000003
【図３】
0004734209.tif 000004
【図４】
0004734209.tif 000005
【図５】
0004734209.tif 000006
【図６】
0004734209.tif 000007
【図７】
0004734209.tif 000008
【図８】
0004734209.tif 000009
【図９】
0004734209.tif 000010
【図１０】
0004734209.tif 000011
【図１１】
0004734209.tif 000012